(57)【要約】【課題】結合専用部品等の購入備品を要することなく、基材の結合工程内において作業を完結できるのはもちろんのこと、ヒンジ結合等の対応あるいは基材を他の部材に取付ける場合の寸法誤差の吸収も可能とする。【解決手段】少なくとも二枚の基材４０，４１を、互いに重ね合わせた重合部４２で結合するクリップ結合構造であって、重合部４２に結合孔４３が設けられ、この結合孔を通じて基材４０，４１を結合する樹脂製のクリップ４６が該基材に対して直接成形されている。このクリップ４６は、重合部の結合孔４３内に位置する軸部４７と、重合部４２の両外側に位置する一対のフランジ４８とを有する。そして、これらの軸部４７および両フランジ４８が基材４０，４１に対して相対的に摺動できるようになっている。【選択図】図２
2012011619.tif 000002
【特許請求の範囲】
【請求項１】
少なくとも二枚の基材を、互いに重ね合わせた重合部で結合するクリップ結合構造であって、
基材の重合部に相互にわたって貫通する結合孔が設けられ、この結合孔を通じて基材を結合する樹脂製のクリップが該基材に対して直接成形されており、このクリップは、重合部の結合孔内に位置する軸部と、重合部の両外側に位置する一対のフランジとを有し、これらの軸部および両フランジが基材に対して相対的に摺動できるようになっているクリップ結合構造。
【請求項２】
請求項１に記載されたクリップ結合構造であって、
基材に対するクリップの直接成形は溶融樹脂材の射出成形であり、基材は溶融樹脂材の温度影響によって溶融しない材質が選定されているクリップ結合構造。
【発明の詳細な説明】
【技術分野】
【０００１】
本発明は、少なくとも二枚の基材を、互いに重ね合わせた重合部において樹脂製のクリップで結合するクリップ結合構造に関する。
【背景技術】
【０００２】
この種のクリップ結合構造については、例えば特許文献１に開示された技術が既に知られている。この技術では、二枚の基材を重ね合わせて結合するために、互いの重合部において一方の基材に貫通孔を開け、この貫通孔に溶融樹脂材を射出する。この溶融樹脂材は貫通孔の中に充填されて孔の内壁面および他方の基材の接合面に溶融結合されて硬化し、クリップが成形される。また、このクリップは、貫通孔の周囲において基材の表面に溶融結合されたフランジを有する。これにより、両基材はクリップを通じて一体的に結合される。
【先行技術文献】
【特許文献】
【０００３】
【特許文献１】特開２００３−２３１１８１号公報
【発明の概要】
【発明が解決しようとする課題】
【０００４】
特許文献１のクリップ結合構造では、二枚の基材同士が重合部において一体化されることから、ヒンジ結合等や基材を他の部材に取付ける場合の寸法誤差の吸収に対応することができない。
【０００５】
本発明は、このような課題を解決しようとするもので、その目的は、結合専用部品等の購入備品を要することなく、基材の結合工程内において作業を完結できるのはもちろんのこと、ヒンジ結合等の対応あるいは基材を他の部材に取付ける場合の寸法誤差の吸収も可能とすることである。
【課題を解決するための手段】
【０００６】
本発明は、上記の目的を達成するためのもので、以下のように構成されている。
第１の発明は、少なくとも二枚の基材を、互いに重ね合わせた重合部で結合するクリップ結合構造であって、基材の重合部に相互にわたって貫通する結合孔が設けられ、この結合孔を通じて基材を結合する樹脂製のクリップが該基材に対して直接成形されている。このクリップは、重合部の結合孔内に位置する軸部と、重合部の両外側に位置する一対のフランジとを有する。そして、これらの軸部および両フランジが基材に対して相対的に摺動できるようになっている。
【０００７】
この構成により、結合専用部品等の購入備品を要することなく、基材の結合工程内において作業を完結することができる。また、基材と直接成形されたクリップとが相対的に摺動できるため、結合された基材同士も相対的に摺動でき、例えばヒンジ結合等に対応できるとともに、いずれかの基材を他の部材に取付ける場合の寸法誤差を吸収することも可能となる。
【０００８】
第２の発明は、第１の発明において、基材に対するクリップの直接成形は溶融樹脂材の射出成形であり、基材は溶融樹脂材の温度影響によって溶融しない材質が選定されている。
これにより、基材とクリップとの溶融結合を避けることができ、相互の相対的な摺動が可能となる。
【図面の簡単な説明】
【０００９】
【図１】クリップを直接成形する装置の概要を表した構成図。
【図２】クリップ結合構造を表した断面図。
【図３】クリップ結合構造を表した平面図。
【発明を実施するための形態】
【００１０】
以下、本発明を実施するための形態を、図面を用いて説明する。
図１に示されている射出機１０は、そのボデー１２内にプランジャ１４が組み込まれ、このプランジャ１４が例えばエアシリンダを用いた射出シリンダ１６によって往復作動するように構成されている。ボデー１２の先端側に結合されたノズル１８には、電熱式の加熱ヒーター（図示省略）が取付けられている。この加熱ヒーターにより、供給ホッパー２２からボデー１２を経てノズル１８の内部に供給されるペレット状の樹脂材を溶融することができる。なお、樹脂材にはポリプロピレン（PP）等が使用され、このPPは220℃程度の加熱温度で溶融する。
【００１１】
溶融樹脂材は、プランジャ１４の作動によってノズル１８から後述の成形空間４４に向けて射出される。このノズル１８から射出される溶融樹脂により、例えば車体とタイヤカバー（ライナー）といった二枚の基材４０，４１を、相互の重合部４２において結合するクリップ４６が成形される（図２および図３）。ノズル１８の内部には、樹脂材のタレや糸引きを防止するためのバルブ２０が組み込まれている。またノズル１８は、上型２４および下型２６を備えている。これらの上型２４および下型２６は、結合の対象である二枚の基材４０，４１の重合部４２を両側から挟み付けるように配置される。
【００１２】
両基材４０，４１の重合部４２には、相互にわたって貫通した結合孔４３があらかじめ開けられている。両基材４０，４１の重合部４２を両側から挟み付けるように配置されている上型２４および下型２６は、結合孔４３を両端側から被うように位置して密閉された成形空間４４を構成している。この成形空間４４にノズル１８から溶融樹脂材を射出して充填させることにより、図２および図３で示すクリップ４６が、両基材４０，４１の重合部４２において直接成形される。
【００１３】
クリップ４６は、両基材４０，４１の重合部４２において結合孔４３を貫通する軸部４７と、軸部４７の両端にそれぞれ成形されて重合部４２の両面に位置する一対のフランジ４８とを備えている（図２）。つまり、このクリップ４６は、両フランジ４８によって重合部４２を両側から挟み付けたリベットのような形状をしている。ただし、成形後のクリップ４６は、両基材４０，４１の結合孔４３に対して相対的に摺動できるように相互が別体化されている。つまり、クリップ４６の軸部４７と重合部４２の結合孔４３との間、およびクリップ４６の両フランジ４８と重合部４２の両面との間において、樹脂材の溶融結合は生じていない。
樹脂材の溶融結合を避ける手段としては、両基材４０，４１とクリップ４６とを異種材とし、クリップ４６を射出成形する溶融樹脂材（PP）の溶融温度（約220℃）で基材４０，４１が溶融しないように、その材質を選定すればよい。なお、クリップ４６の樹脂材には、リサイクル材を使用することも可能である。
【００１４】
両基材４０，４１の重合部４２をクリップ４６で結合するには、図１で示す射出機１０のノズル１８から成形空間４４に溶融樹脂材を射出する。これによって成形空間４４に樹脂材が充填され、前述のようにクリップ４６が両基材４０，４１の重合部４２において直接成形される。したがって、両基材４０，４１を結合する工程内において作業を完結することができる。そして、両基材４０，４１と成形後のクリップ４６とが相対的に摺動できるため、結合された基材４０，４１同士も相対的に摺動できる。この結果、両基材４０，４１のヒンジ結合等に対応できるとともに、基材４０，４１の一方を他の部材に取付ける場合の寸法誤差を吸収することもできる。
【００１５】
クリップ４６は、前述のように密閉された成形空間４４に溶融樹脂材を充填することで成形される。このため、成形空間４４に対する溶融樹脂材の充填圧力は、射出機１０におけるプランジャ１４の作動圧力を検知し、ノズル１８のバルブ２０を制御することで管理することができる。これにより、成形空間４４の必要部分に対し、溶融樹脂材を常に充分に行き渡らせることが可能となり、クリップ４６を歩留まりよく成形することができる。そして、クリップ４６は溶融樹脂の射出によって直接成形されることから、結合作業の自動化が可能であるとともに、両基材４０，４１の板厚や結合孔４３の内径などに影響されることがなく、常に良好な結合を行うことができる。
【００１６】
以上は本発明を実施するための最良の形態を図面に関連して説明したが、この実施の形態は本発明の趣旨から逸脱しない範囲で容易に変更または変形できるものである。
例えばクリップ４６については、両基材４０，４１における結合孔４３の孔径を変えることにより、その軸部４７を段付き形状に成形することもできる。また、両基材４０，４１は、前述の車体（金属）とタイヤカバー（樹脂）といった異なる材質同士はもちろんのこと、同じ材質同士であってもよく、クリップ４６で結合する枚数を三枚以上とすることも可能である。
【符号の説明】
【００１７】
４０，４１  基材
４２ 重合部
４３ 結合孔
４６ クリップ
４７ 軸部
４８ フランジ
【図１】
2012011619.tif 000003
【図２】
2012011619.tif 000004
【図３】
2012011619.tif 000005